(57)【要約】【課題】  例えば共同溝の出入口等を起伏開閉する蓋部材を閉塞するとき、出入口の開口部縁と蓋部材の端縁部分との間に作業者等の手指を挟み込ませず、安全作業を実現する。【解決手段】  開口部を開閉する蓋部材Ｃを閉塞時に開口部縁上で一時的に仮止め状に係止保持するもので、蓋部材Ｃに固定するベース体１と、このベース体１に吊り下げ状に揺動自在に支持し、開口部縁の係止段部Ｓ面に一時的に係止当接するストッパー１０とから成る。ストッパー１０は、係止段部Ｓに当接係止する係止縁部１１と、倒伏した蓋部材Ｃが係止段部Ｓに載置するとき、係止縁部１１を開口部内側に揺動退避させる突出縁部１２と、ベース体１に枢支させるよう上部に設けた枢支部１３と、この枢支部１３の上方に設けた操作部１４とを備えて成る。またストッパー１０は連結バー１５によって連結して左右で対状に構成する。【選択図】      図１
2006353003.tif 000002
【特許請求の範囲】
【請求項１】
開口部を開放あるいは閉塞する蓋部材を閉塞時に開口部縁上で一時的に仮止め状に係止保持するグレーチング蓋等の蓋部材における挟み込み防止装置であって、蓋部材に固定されるベース体と、このベース体に吊り下げ状に揺動自在に支持され、開口部縁における係止段部面に一時的に係止当接するストッパーとから成り、ストッパーは、係止段部に当接係止するよう下縁に形成した係止縁部と、倒伏した蓋部材が係止段部に載置されるとき、係止縁部を開口部内側に揺動退避させるよう係止縁部に連続させて傾斜上向き状に前縁に形成した突出縁部と、ベース体に枢支させるよう上部に設けた枢支部と、この枢支部の上方位置の上縁に設けた操作部とを備えて成ることを特徴とするグレーチング蓋等の蓋部材における挟み込み防止装置。
【請求項２】
ストッパーはその自重で係止縁部を下方に位置させており、その縁面が係止段部面に対してほぼ並行状になるように常時付勢的に維持されている請求項１に記載のグレーチング蓋等の蓋部材における挟み込み防止装置。
【請求項３】
ストッパーは、左右で対状に配置形成し、左右相互間で横架した連結バーによって相互に連結してある請求項１または２に記載のグレーチング蓋等の蓋部材における挟み込み防止装置。
【請求項４】
ストッパー自体の後縁下部には、ベース体の後縁側に当接する当接支持縁部を形成してある請求項１乃至３のいずれかに記載のグレーチング蓋等の蓋部材における挟み込み防止装置。
【発明の詳細な説明】
【技術分野】
【０００１】
本発明は例えば通信・動力用の各種ケーブル、水道管、ガス管その他の各種の管路構成を集約して地中に埋設する共同構等において、その保守・点検、各種機器・材料の搬出入のために設けられる出入口を閉塞するグレーチング構造の蓋部材を閉塞操作するとき、作業者等の手指等を挟み込ませずに安全に開閉作業を行えるようにしたグレーチング蓋等の蓋部材における挟み込み防止装置に関する。
【背景技術】
【０００２】
従来から各種の管路構成を集約して地中に埋設する共同構において、この共同構内での保守・点検、各種機器・材料の搬出入等のために地表面に開口している出入口が設けられている。その出入口の開閉蓋部材として、近時では例えば所定幅員の帯板材をほぼ矩形状の小開口部分を形成するように格子状に配列構成したいわゆるグレーチングが多用されつつある。このグレーチング構造の蓋部材は、例えば主体部分に対して蝶番部材等によって一部を折り畳み状に起伏自在とすることでその一部を起伏部分として形成してあって、主体部分を出入口の開口部に嵌め合わせ位置させてから、その起伏部分を起伏させることで開口部を完全に閉塞し、また開放させるものとしている。またその起伏部分の開閉操作の容易性、安全性等のためにダンパー装置が取り付けられている。
【特許文献１】特になし
【発明の開示】
【発明が解決しようとする課題】
【０００３】
このようなダンパー装置を取り付けた蓋部材にあっては、起伏部分を起伏させることで、相当な重量がある蓋板全体を開閉起伏させることなく軽量に操作が可能な起伏部分のみの部分的な開閉操作で共同構内外の出入りが容易となる利点がある。ところが、開口部を閉塞する直前の作業中ではダンパー装置による支持作用の効果が小さく、起伏部分を作業者が手指等を添えて直接に倒伏して共同構の開口部を閉塞するとき、突然に起伏部分が閉まってしまう等で手指等を誤って開口部縁と起伏部分端縁部分との間で挟み込んでしまう事故が多発しており、このように作業者が思わぬ怪我をすることがあった。
【０００４】
そこで本発明は叙上のような従来存した諸事情に鑑み創出されたもので、例えばグレーチング構造の蓋部材の一部である起伏部分を作業者が直接にその手指等で起伏し開閉するとしても、共同構の開口部縁と起伏部分端縁部分との間に手指を挟み込ませることなく安全に作業を実施でき、しかも開口部における内外のいずれからでも操作でき、また開閉作業を簡単に行えるようにしたグレーチング蓋等の蓋部材における挟み込み防止装置を提供することを目的とする。
【課題を解決するための手段】
【０００５】
上述した課題を解決するため、本発明にあっては、開口部を開放あるいは閉塞する蓋部材Ｃを閉塞時に開口部縁上で一時的に仮止め状に係止保持するものであって、蓋部材Ｃに固定されるベース体１と、このベース体１に吊り下げ状に揺動自在に支持され、開口部縁における係止段部Ｓ面に一時的に係止当接するストッパー１０とから成り、ストッパー１０は、係止段部Ｓに当接係止するよう下縁に形成した係止縁部１１と、倒伏した蓋部材Ｃが係止段部Ｓに載置されるとき、係止縁部１１を開口部内側に揺動退避させるよう係止縁部１１に連続させて傾斜上向き状に前縁に形成した突出縁部１２と、ベース体１に枢支させるよう上部に設けた枢支部１３と、この枢支部１３の上方位置の上縁に設けた操作部１４とを備えて成るものである。
また、ストッパー１０はその自重で係止縁部１１を下方に位置させており、その縁面が係止段部Ｓ面に対してほぼ並行状になるように常時付勢的に維持されているものとしたり、左右で対状に配置形成し、左右相互間で横架した連結バー１５によって相互に連結したり、ストッパー１０自体の後縁下部には、ベース体１の後縁側に当接する当接支持縁部１６を形成したりして構成することができる。
【０００６】
以上のように構成された本発明に係るグレーチング蓋等の蓋部材における挟み込み防止装置にあって、例えば共同構の出入口を閉塞すべく蓋部材Ｃを倒伏揺動するとき、ベース体１の係止縁部１１が出入口の開口縁部にある係止段部Ｓ上に一旦当接係止し、蓋部材Ｃと開口縁部との間に適当な間隙を設定、保持し、作業者の手指が蓋部材Ｃ下面に添えられていてもこれを挟み込ませない。
ストッパー１０における操作部１４は、これの揺動操作で係止段部Ｓ上に当接係止している係止縁部１１を係止段部Ｓから解除して蓋部材Ｃを係止段部Ｓ上に載置して出入口を閉塞させる。このとき操作部１４自体は蓋部材Ｃ上方に突出状であることで蓋部材Ｃ上方から揺動操作させ、作業者の手指等を挟み込ませない。また共同構の内部からでもストッパー１０の揺動操作を可能にさせ、同様に係止段部Ｓから係止縁部１１を解除させることで、当接支持縁部１６によって蓋部材Ｃ重量を下方から支持しながら蓋部材Ｃを倒伏して閉塞させる。特に連結バー１５の握持によって、蓋部材Ｃ下方からのストッパー１０に対する揺動操作を容易にさせる。
ストッパー１０は左右相互間で横架された連結バー１５によって相互に連結された対状であることで、係止段部Ｓに当接係止させたときの支持安定性を向上させ、蓋部材Ｃを閉塞するときの一時的な仮止め係止時に生じ得るがたつき等を防止させる。
【発明の効果】
【０００７】
本発明は以上説明したように構成されているため、例えば共同構の出入口におけるグレーチング構造の蓋部材Ｃを作業者が直接にその手指等を添えて起伏し開閉するとき、ストッパー１０によって閉塞作業時に蓋部材Ｃを一時的に係止維持できるから共同構の開口部縁と蓋部材Ｃとの間に手指を挟み込ませることなく安全に作業を実施できる。しかも開口部における内外のいずれからでもストッパー１０自体を揺動操作でき、また開閉作業を安全、迅速、簡単に行える利点がある。
【０００８】
すなわちこれは本発明において、開口部を開閉する蓋部材Ｃに固定されるベース体１と、このベース体１に吊り下げ状に揺動自在に支持され、開口部縁における係止段部Ｓ面に一時的に係止当接するストッパー１０とから成り、ストッパー１０は、係止段部Ｓに当接係止する係止縁部１１と、倒伏した蓋部材Ｃが係止段部Ｓに載置されるとき、係止縁部１１を開口部内側に揺動退避させる突出縁部１２と、ベース体１に枢支させるよう上部に設けた枢支部１３と、この枢支部１３の上方に設けた操作部１４とを備えて成るからであり、これによって、蓋部材Ｃを閉塞するときに添えられる作業者等の手指等を一時的にでも形成保持する間隙を設定しての仮止め維持、手指等を退避させての蓋部材Ｃの倒伏による完全閉塞等が得られ、ひいては作業を安全に遂行できる。
【０００９】
またストッパー１０の係止縁部１１は、係止段部Ｓに当接係止するようストッパー１０の下縁に形成され、ストッパー１０の自重によって下方に位置されているから、蓋部材Ｃを下降させて出入口開口部を閉塞するとき、その閉塞作業に伴い自然に係止段部Ｓ面に当接係止し、蓋部材Ｃに作業者等の手指が添えられていても開口部と蓋部材Ｃとの間に手指等の出し入れが自由となる所定高さの間隙を一時的にでも設定維持でき、作業者の安全性を確保できる。
【００１０】
ストッパー１０の突出縁部１２は係止縁部１１に連続させて傾斜上向き状に前縁に形成してあるので、係止縁部１１が係止段部Ｓ上に当接係止しているときには開口部縁と蓋部材Ｃとの間に位置して外部から視認でき、一時的な仮止め状態にあることを簡単に確認できる利点がある。そればかりでなく、係止縁部１１による一時的な当接係止状態が外部からの衝撃、振動その他によって不意に解除されたときでも、この突出縁部１２が開口部縁と蓋部材Ｃとの間に介在されるものとなって、安全性を一層向上できる。
【００１１】
このストッパー１０は左右で対状に配置形成し、左右相互間に横架した連結バー１５によって相互に連結することで、係止段部Ｓ面上に当接係止したときの仮止め維持を安定化させ、がたつかせず、また重量的に嵩張ることがある蓋部材Ｃをしっかりと支持できる。  
【００１２】
また連結バー１５は例えば共同構の内部から作業者によって、係止段部Ｓ上に係止当接している係止縁部１１を解除させるときに、これを握持することでストッパー１０自体を揺動操作でき、ストッパー１０の当接支持縁部１６が蓋部材Ｃに当接していることで下方から蓋部材Ｃを支持できることと相俟ち、蓋部材Ｃを下降させて係止段部Ｓ上に載置できる。
【００１３】
ストッパー１０の操作部１４は、ストッパー１０をベース体１に枢支する枢支部１３の上方に設けてあるので、係止縁部１１の係止段部Ｓに対する当接係止状態の解除を蓋部材Ｃの上方から操作部１４によって操作でき、取っ手Ｈの握持による蓋部材Ｃの持ち上げ支持と相俟って蓋部材Ｃを開口部に安全に載置し、閉塞できる。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１５】
以下図面を参照して本発明を実施するための最良の一形態を説明すると、図において示される符号１は例えば共同構の出入口を開閉すべく、出入口に配装されるグレーチング構造の蓋部材Ｃにおける開閉起伏部位に配置固定されるほぼボックス状のベース体である。そしてこのベース体１には、開閉起伏部位の内部側で左右で対状にして形成されているストッパー１０が揺動自在に設けられており、出入口の閉塞時に出入口における段状の係止段部Ｓに一旦は係止して開口部縁と蓋部材Ｃの縁部との間に所定の間隔を設定し、またストッパー１０自体に対する強制的な揺動操作で係止状態を解除することで蓋部材Ｃを倒伏させ、開口部を閉塞させるようにしている。
【００１６】
ベース体１は、蓋部材Ｃにおける帯板状の格子材の上下（高さ）方向に沿う幅員とほぼ同様な高さ（深さ）を有する前後、左右の周囲枠材２と、蓋部材Ｃ自体の上面に位置する上板３とで、下方が開口された平面でほぼ矩形状を呈するボックス状に形成されている。そして図示にあっては、前後に沿った中央位置で配された中央側板４と、同じく前後方向に沿って左右で対状に配された支持側板５と、左右方向に沿って前後で対状にして支持側板５相互間に配された補強側板６とが内部でほぼ格子状に組み合わせられることで、ベース体１自体の補強性を配慮してある。また、上板３には後述するストッパー１０における操作部１４の上部が出没されるスリット状の外出孔３Ａが開穿されている。
【００１７】
尚、ベース体１自体は、共同構の開口部における係止段部Ｓ位置に対応して蓋部材Ｃの縁部に位置決めされて配置されており、また蓋部材Ｃの開閉部分における縁部のほぼ中央位置に配置されることで係止段部Ｓに対する仮止め安定性が図れるようにしてある。場合によっては、ストッパー１０を設けたベース体１を複数にして配列することもあり、重量的に嵩張る蓋部材Ｃに対応可能にすると共に、ボックス状であることで格子状のグレーチング構造である蓋部材Ｃに容易に固定可能なものとしている。
【００１８】
一方、ストッパー１０自体は、所定肉厚のプレート状部材によって形成され、共同構の出入口の開口部縁における係止段部Ｓに当接係止するよう下縁に形成した係止縁部１１と、倒伏した蓋部材Ｃが係止段部Ｓに載置されるとき、係止縁部１１を出入口内側に揺動退避させて、場合によっては出入口である開口部内側縁面に先端縁が当接するよう、係止縁部１１に連続させて傾斜上向き状に前縁に形成した突出縁部１２と、ベース体１例えばその支持側板５に枢支させるよう上部に設けた枢支部１３と、この枢支部１３の上方位置の上縁に設けた操作部１４とを備えて成り、ストッパー１０の自重で係止縁部１１は下方に位置しており、その縁面が係止段部Ｓ面に対してほぼ並行状になるように常時付勢的に維持されている。
【００１９】
図示にあって、このストッパー１０自体は左右で対状に構成されており、これの下縁位置相互間で横架した例えばパイプ状の連結バー１５によって左右で相互に連結してある。また、例えば共同構内部からの作業で閉塞する場合、この連結バー１５によってストッパー１０を揺動操作でき、係止段部Ｓに係止している係止縁部１１を係止段部Ｓから解除させることができる（図６（Ｅ）参照）。更にはこの連結バー１５をベース体１に対するストッパー１０自体の枢支位置に対して僅かに後方、すなわち共同構の内側寄りに設定位置させることで、係止段部Ｓに対する係止縁部１１の姿勢をほぼ並行状に維持することができる利点もある。
【００２０】
また、係止縁部１１は、係止段部Ｓ面に当接するほぼ直線縁となっている直線状部分を有し、ストッパー１０自体がベース体１から自重で吊り下げられたようになっていることで、この係止縁部１１は常時下方に向けられた状態となっており、その状態では蓋部材Ｃの倒伏時に係止縁部１１が係止段部Ｓに当接係止するものとしてある（図２参照）。また当接係止状態では、蓋部材Ｃの開閉縁部と共同構の出入口における開口部縁との間に所定の間隙を設定保持するもので、この間隙は作業者等の手指の挿入等に十分な大きさのものとしてある。すなわちストッパー１０自体は、ベース体１との枢支部１３位置から係止縁部１１の下縁に至る高さが、係止段部Ｓ上方に十分な間隙高さ位置を設定保持するに十分なものとしてある。更に当接係止状態では、外部からの衝撃、振動等でも当接係止状態は解除されず、その仮止め状態を維持できるように配慮してある。
【００２１】
突出縁部１２は、係止段部Ｓに対する係止縁部１１の並行維持姿勢状態において、共同構の外側への上向き傾斜状にした矩形突片状にして、係止縁部１１からの窪み部を介在させて連続形成してある。この突出縁部１２は、係止縁部１１が係止段部Ｓ上に当接係止しているとき、開口部上に位置していて例えば外方から視認することで蓋部材Ｃが仮止め係止状態であることを確認できるようにしている。
【００２２】
枢支部１３は、ストッパー１０自体の上部位置でストッパー１０自体をベース体１に対して揺動自在な状態で吊り下げ状に支持させるもので、図示にあってはベース体１における支持側板５に例えばボルト、ナット、ワッシャ等によるネジ止め構成による軸部構造のものとしてある。尚、枢支部１３は左右で対状となるとき、連結バー１５と同様に相互間で横架されるようシャフト・バー構造のものとすることも可能である。
【００２３】
操作部１４は、ストッパー１０自体を蓋部材Ｃの外側すなわち蓋部材Ｃの上方から操作するもので、係止縁部１１が係止段部Ｓに当接係止状態では蓋部材Ｃ上方に突出し（図２参照）、係止縁部１１が係止段部Ｓから解除された揺動時ではベース体１内に没入されるようにしてある（図５参照）。すなわち、この操作部１４自体は図示のように、共同構の外側に向けられた上向き傾斜状の突片状に形成されることで、係止縁部１１の係止段部Ｓからの解除を操作部１４の倒伏揺動操作で容易に行えるように配慮してあり、またベース体１内への倒伏没入後ではベース体１の上板３上から外部には突出しないように、後縁が傾斜状に形成されている。
【００２４】
更にストッパー１０の後縁下部には、ベース体１の周囲枠材２における後縁側に当接する当接支持縁部１６を形成してある。この当接支持縁部１６は、ストッパー１０自体を後方に牽引するように傾斜させたときにベース体１に当接することで、蓋部材Ｃ自体を持ち上げ支持できるようにしてある。すなわち、これによって、例えば蓋部材Ｃ自体を共同構の内部から閉塞作業を行うとき、作業者がストッパー１０を前記連結バー１５を利用して牽引し傾斜揺動させたとき、ベース体１に当接するストッパー１０を介して蓋部材Ｃ自体を直接的に支持できるようになる。
【００２５】
また、蓋部材Ｃ自体を開閉させるために、蓋部材Ｃに対して出没自在にした取っ手Ｈが設けられている。この取っ手Ｈは蓋部材Ｃにおける開閉部分の縁部に位置させて、例えば縁部の中央位置に配したストッパー１０を中心とした左右に対状にして配置されており、正面から見て門字状を呈し、脚部端に係止部を備えることで蓋部材Ｃの上下方向に沿ってスライド自在にして蓋部材Ｃに貫挿することで設けてある。
【００２６】
図７においては別の実施の形態が示されている。すなわち、この実施の形態においては先の実施の形態における操作部１４の上端部分を折曲形成することによって摘み部１５を形成したもので、この摘み部１５によってストッパー１０自体の揺動操作を容易に行えるようにしてある。また取っ手Ｈは、先の実施の形態におけるものとは異なり、ベース体１に蓋部材Ｃの上下方向に沿ってスライド自在に設けられている。これによって、蓋部材Ｃの開閉作業を行うときの各部材をベース体１部分に集約させることができ、作業の迅速性、円滑性等を一層向上できるようにしてある。
【００２７】
次にこれの使用の一例を説明するに、共同構の出入口における開口部を開閉する蓋部材Ｃの開閉縁部位置に、開口部の係止段部Ｓ位置に対応してベース体１を介して蓋部材Ｃの内側に吊り下げ状となるようにストッパー１０を揺動自在に配装しておく。例えば図６に示すように蓋部材Ｃが主体部分とこの主体部分に対して一部が蝶番部材等によって開閉自在に構成されている起伏部分とから成るとき、その起伏部分の開閉縁部に配装される。そして、共同構内への出入り、諸部材の搬出入に際し蓋部材Ｃを閉塞するとき、作業者が直接に開閉部分の縁部を持ってそのまま倒伏させると（図６（Ａ）参照）、ストッパー１０の下縁に位置する係止縁部１１が開口部の係止段部Ｓに当接係止し、蓋部材Ｃの開閉縁部と開口部縁との間に所定の間隙を設定保持する（図６（Ｂ）参照）。この間隙は、作業者等の手指が入り込むに十分な大きさにしてあるため、手指等が挟まれることがない。次いで、取っ手Ｈを握持して蓋部材Ｃ自体を持ち上げるように支持しながら（図６（Ｃ）参照）、ストッパー１０を操作部１４にて揺動操作して蓋部材Ｃの下方に押し込み、係止段部Ｓから係止縁部１１の当接係止を解除させる。解除後では蓋部材Ｃをゆっくりと下ろし、開口部を完全に閉塞する（図６（Ｄ）参照）。
【００２８】
一方、共同構の内部から最終的に開口部を閉塞する場合には、例えば連結バー１５を握持してストッパー１０を揺動操作し、係止段部Ｓとの係止当接を解除すると同時に、ベース体１の周囲枠材２の後縁側に当接支持縁部１６を当接させることで蓋部材Ｃを直接的に支持した状態とする（図６（Ｅ）参照）。そこで蓋部材Ｃをゆっくり下降させることで開口部を閉塞する。
【図面の簡単な説明】
【００２９】
【図１】本発明を実施するための最良の形態を示す要部斜視図である。
【図２】同じく施蓋作業時における仮止め状態の要部側面図である。
【図３】同じく一部切欠正面図である。
【図４】同じく一部切欠平面図である。
【図５】同じく閉鎖時における退避状態の要部側面図である。
【図６】同じく施蓋作業時の手順を示す側面図で、その（Ａ）は作業開始時、（Ｂ）は仮止め時、（Ｃ）は外部から閉塞操作する場合、（Ｄ）は閉塞時、（Ｅ）は内部から閉塞操作する場合である。
【図７】同じく他の実施の形態における要部斜視図である。
【符号の説明】
【００３０】
Ｃ…蓋板材                              Ｈ…取っ手
Ｓ…係止段部
１…ベース体                            ２…周囲枠材
３…上板                                ４…中央側板
５…支持側板                            ６…補強側板
１０…ストッパー                        １１…係止縁部
１２…突出縁部                          １３…枢支部
１４…操作部                            １５…連結バー
１６…当接支持縁部
【図１】
2006353003.tif 000003
【図２】
2006353003.tif 000004
【図３】
2006353003.tif 000005
【図４】
2006353003.tif 000006
【図５】
2006353003.tif 000007
【図６】
2006353003.tif 000008
【図７】
2006353003.tif 000009
【手続補正書】
【提出日】平成17年6月20日(2005.6.20)
【手続補正１】
【補正対象書類名】明細書
【補正対象項目名】全文
【補正方法】変更
【補正の内容】
【発明の詳細な説明】
【技術分野】
【０００１】
本発明は例えば通信・動力用の各種ケーブル、水道管、ガス管その他の各種の管路構成を集約して地中に埋設する共同溝等において、その保守・点検、各種機器・材料の搬出入のために設けられる出入口を閉塞するグレーチング構造の蓋部材を閉塞操作するとき、作業者等の手指等を挟み込ませずに安全に開閉作業を行えるようにしたグレーチング蓋等の蓋部材における挟み込み防止装置に関する。
【背景技術】
【０００２】
従来から各種の管路構成を集約して地中に埋設する共同溝において、この共同溝内での保守・点検、各種機器・材料の搬出入等のために地表面に開口している出入口が設けられている。その出入口の開閉蓋部材として、近時では例えば所定幅員の帯板材をほぼ矩形状の小開口部分を形成するように格子状に配列構成したいわゆるグレーチングが多用されつつある。このグレーチング構造の蓋部材は、例えば主体部分に対して蝶番部材等によって一部を折り畳み状に起伏自在とすることでその一部を起伏部分として形成してあって、主体部分を出入口の開口部に嵌め合わせ位置させてから、その起伏部分を起伏させることで開口部を完全に閉塞し、また開放させるものとしている。またその起伏部分の開閉操作の容易性、安全性等のためにダンパー装置が取り付けられている。
【特許文献１】特になし
【発明の開示】
【発明が解決しようとする課題】
【０００３】
このようなダンパー装置を取り付けた蓋部材にあっては、起伏部分を起伏させることで、相当な重量がある蓋板全体を開閉起伏させることなく軽量に操作が可能な起伏部分のみの部分的な開閉操作で共同溝内外の出入りが容易となる利点がある。ところが、開口部を閉塞する直前の作業中ではダンパー装置による支持作用の効果が小さく、起伏部分を作業者が手指等を添えて直接に倒伏して共同溝の開口部を閉塞するとき、突然に起伏部分が閉まってしまう等で手指等を誤って開口部縁と起伏部分端縁部分との間で挟み込んでしまう事故が多発しており、このように作業者が思わぬ怪我をすることがあった。
【０００４】
そこで本発明は叙上のような従来存した諸事情に鑑み創出されたもので、例えばグレーチング構造の蓋部材の一部である起伏部分を作業者が直接にその手指等で起伏し開閉するとしても、共同溝の開口部縁と起伏部分端縁部分との間に手指を挟み込ませることなく安全に作業を実施でき、しかも開口部における内外のいずれからでも操作でき、また開閉作業を簡単に行えるようにしたグレーチング蓋等の蓋部材における挟み込み防止装置を提供することを目的とする。
【課題を解決するための手段】
【０００５】
上述した課題を解決するため、本発明にあっては、開口部を開放あるいは閉塞する蓋部材Ｃを閉塞時に開口部縁上で一時的に仮止め状に係止保持するものであって、蓋部材Ｃに固定されるベース体１と、このベース体１に吊り下げ状に揺動自在に支持され、開口部縁における係止段部Ｓ面に一時的に係止当接するストッパー１０とから成り、ストッパー１０は、係止段部Ｓに当接係止するよう下縁に形成した係止縁部１１と、倒伏した蓋部材Ｃが係止段部Ｓに載置されるとき、係止縁部１１を開口部内側に揺動退避させるよう係止縁部１１に連続させて傾斜上向き状に前縁に形成した突出縁部１２と、ベース体１に枢支させるよう上部に設けた枢支部１３と、この枢支部１３の上方位置の上縁に設けた操作部１４とを備えて成るものである。
また、ストッパー１０はその自重で係止縁部１１を下方に位置させており、その縁面が係止段部Ｓ面に対してほぼ並行状になるように常時付勢的に維持されているものとしたり、左右で対状に配置形成し、左右相互間で横架した連結バー１５によって相互に連結したり、ストッパー１０自体の後縁下部には、ベース体１の後縁側に当接する当接支持縁部１６を形成したりして構成することができる。
【０００６】
以上のように構成された本発明に係るグレーチング蓋等の蓋部材における挟み込み防止装置にあって、例えば共同溝の出入口を閉塞すべく蓋部材Ｃを倒伏揺動するとき、ベース体１の係止縁部１１が出入口の開口縁部にある係止段部Ｓ上に一旦当接係止し、蓋部材Ｃと開口縁部との間に適当な間隙を設定、保持し、作業者の手指が蓋部材Ｃ下面に添えられていてもこれを挟み込ませない。
ストッパー１０における操作部１４は、これの揺動操作で係止段部Ｓ上に当接係止している係止縁部１１を係止段部Ｓから解除して蓋部材Ｃを係止段部Ｓ上に載置して出入口を閉塞させる。このとき操作部１４自体は蓋部材Ｃ上方に突出状であることで蓋部材Ｃ上方から揺動操作させ、作業者の手指等を挟み込ませない。また共同溝の内部からでもストッパー１０の揺動操作を可能にさせ、同様に係止段部Ｓから係止縁部１１を解除させることで、当接支持縁部１６によって蓋部材Ｃ重量を下方から支持しながら蓋部材Ｃを倒伏して閉塞させる。特に連結バー１５の握持によって、蓋部材Ｃ下方からのストッパー１０に対する揺動操作を容易にさせる。
ストッパー１０は左右相互間で横架された連結バー１５によって相互に連結された対状であることで、係止段部Ｓに当接係止させたときの支持安定性を向上させ、蓋部材Ｃを閉塞するときの一時的な仮止め係止時に生じ得るがたつき等を防止させる。
【発明の効果】
【０００７】
本発明は以上説明したように構成されているため、例えば共同溝の出入口におけるグレーチング構造の蓋部材Ｃを作業者が直接にその手指等を添えて起伏し開閉するとき、ストッパー１０によって閉塞作業時に蓋部材Ｃを一時的に係止維持できるから共同溝の開口部縁と蓋部材Ｃとの間に手指を挟み込ませることなく安全に作業を実施できる。しかも開口部における内外のいずれからでもストッパー１０自体を揺動操作でき、また開閉作業を安全、迅速、簡単に行える利点がある。
【０００８】
すなわちこれは本発明において、開口部を開閉する蓋部材Ｃに固定されるベース体１と、このベース体１に吊り下げ状に揺動自在に支持され、開口部縁における係止段部Ｓ面に一時的に係止当接するストッパー１０とから成り、ストッパー１０は、係止段部Ｓに当接係止する係止縁部１１と、倒伏した蓋部材Ｃが係止段部Ｓに載置されるとき、係止縁部１１を開口部内側に揺動退避させる突出縁部１２と、ベース体１に枢支させるよう上部に設けた枢支部１３と、この枢支部１３の上方に設けた操作部１４とを備えて成るからであり、これによって、蓋部材Ｃを閉塞するときに添えられる作業者等の手指等を一時的にでも形成保持する間隙を設定しての仮止め維持、手指等を退避させての蓋部材Ｃの倒伏による完全閉塞等が得られ、ひいては作業を安全に遂行できる。
【０００９】
またストッパー１０の係止縁部１１は、係止段部Ｓに当接係止するようストッパー１０の下縁に形成され、ストッパー１０の自重によって下方に位置されているから、蓋部材Ｃを下降させて出入口開口部を閉塞するとき、その閉塞作業に伴い自然に係止段部Ｓ面に当接係止し、蓋部材Ｃに作業者等の手指が添えられていても開口部と蓋部材Ｃとの間に手指等の出し入れが自由となる所定高さの間隙を一時的にでも設定維持でき、作業者の安全性を確保できる。
【００１０】
ストッパー１０の突出縁部１２は係止縁部１１に連続させて傾斜上向き状に前縁に形成してあるので、係止縁部１１が係止段部Ｓ上に当接係止しているときには開口部縁と蓋部材Ｃとの間に位置して外部から視認でき、一時的な仮止め状態にあることを簡単に確認できる利点がある。そればかりでなく、係止縁部１１による一時的な当接係止状態が外部からの衝撃、振動その他によって不意に解除されたときでも、この突出縁部１２が開口部縁と蓋部材Ｃとの間に介在されるものとなって、安全性を一層向上できる。
【００１１】
このストッパー１０は左右で対状に配置形成し、左右相互間に横架した連結バー１５によって相互に連結することで、係止段部Ｓ面上に当接係止したときの仮止め維持を安定化させ、がたつかせず、また重量的に嵩張ることがある蓋部材Ｃをしっかりと支持できる。  
【００１２】
また連結バー１５は例えば共同溝の内部から作業者によって、係止段部Ｓ上に係止当接している係止縁部１１を解除させるときに、これを握持することでストッパー１０自体を揺動操作でき、ストッパー１０の当接支持縁部１６が蓋部材Ｃに当接していることで下方から蓋部材Ｃを支持できることと相俟ち、蓋部材Ｃを下降させて係止段部Ｓ上に載置できる。
【００１３】
ストッパー１０の操作部１４は、ストッパー１０をベース体１に枢支する枢支部１３の上方に設けてあるので、係止縁部１１の係止段部Ｓに対する当接係止状態の解除を蓋部材Ｃの上方から操作部１４によって操作でき、取っ手Ｈの握持による蓋部材Ｃの持ち上げ支持と相俟って蓋部材Ｃを開口部に安全に載置し、閉塞できる。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１５】
以下図面を参照して本発明を実施するための最良の一形態を説明すると、図において示される符号１は例えば共同溝の出入口を開閉すべく、出入口に配装されるグレーチング構造の蓋部材Ｃにおける開閉起伏部位に配置固定されるほぼボックス状のベース体である。そしてこのベース体１には、開閉起伏部位の内部側で左右で対状にして形成されているストッパー１０が揺動自在に設けられており、出入口の閉塞時に出入口における段状の係止段部Ｓに一旦は係止して開口部縁と蓋部材Ｃの縁部との間に所定の間隔を設定し、またストッパー１０自体に対する強制的な揺動操作で係止状態を解除することで蓋部材Ｃを倒伏させ、開口部を閉塞させるようにしている。
【００１６】
ベース体１は、蓋部材Ｃにおける帯板状の格子材の上下（高さ）方向に沿う幅員とほぼ同様な高さ（深さ）を有する前後、左右の周囲枠材２と、蓋部材Ｃ自体の上面に位置する上板３とで、下方が開口された平面でほぼ矩形状を呈するボックス状に形成されている。そして図示にあっては、前後に沿った中央位置で配された中央側板４と、同じく前後方向に沿って左右で対状に配された支持側板５と、左右方向に沿って前後で対状にして支持側板５相互間に配された補強側板６とが内部でほぼ格子状に組み合わせられることで、ベース体１自体の補強性を配慮してある。また、上板３には後述するストッパー１０における操作部１４の上部が出没されるスリット状の外出孔３Ａが開穿されている。
【００１７】
尚、ベース体１自体は、共同溝の開口部における係止段部Ｓ位置に対応して蓋部材Ｃの縁部に位置決めされて配置されており、また蓋部材Ｃの開閉部分における縁部のほぼ中央位置に配置されることで係止段部Ｓに対する仮止め安定性が図れるようにしてある。場合によっては、ストッパー１０を設けたベース体１を複数にして配列することもあり、重量的に嵩張る蓋部材Ｃに対応可能にすると共に、ボックス状であることで格子状のグレーチング構造である蓋部材Ｃに容易に固定可能なものとしている。
【００１８】
一方、ストッパー１０自体は、所定肉厚のプレート状部材によって形成され、共同溝の出入口の開口部縁における係止段部Ｓに当接係止するよう下縁に形成した係止縁部１１と、倒伏した蓋部材Ｃが係止段部Ｓに載置されるとき、係止縁部１１を出入口内側に揺動退避させて、場合によっては出入口である開口部内側縁面に先端縁が当接するよう、係止縁部１１に連続させて傾斜上向き状に前縁に形成した突出縁部１２と、ベース体１例えばその支持側板５に枢支させるよう上部に設けた枢支部１３と、この枢支部１３の上方位置の上縁に設けた操作部１４とを備えて成り、ストッパー１０の自重で係止縁部１１は下方に位置しており、その縁面が係止段部Ｓ面に対してほぼ並行状になるように常時付勢的に維持されている。
【００１９】
図示にあって、このストッパー１０自体は左右で対状に構成されており、これの下縁位置相互間で横架した例えばパイプ状の連結バー１５によって左右で相互に連結してある。また、例えば共同溝内部からの作業で閉塞する場合、この連結バー１５によってストッパー１０を揺動操作でき、係止段部Ｓに係止している係止縁部１１を係止段部Ｓから解除させることができる（図６（Ｅ）参照）。更にはこの連結バー１５をベース体１に対するストッパー１０自体の枢支位置に対して僅かに後方、すなわち共同溝の内側寄りに設定位置させることで、係止段部Ｓに対する係止縁部１１の姿勢をほぼ並行状に維持することができる利点もある。
【００２０】
また、係止縁部１１は、係止段部Ｓ面に当接するほぼ直線縁となっている直線状部分を有し、ストッパー１０自体がベース体１から自重で吊り下げられたようになっていることで、この係止縁部１１は常時下方に向けられた状態となっており、その状態では蓋部材Ｃの倒伏時に係止縁部１１が係止段部Ｓに当接係止するものとしてある（図２参照）。また当接係止状態では、蓋部材Ｃの開閉縁部と共同溝の出入口における開口部縁との間に所定の間隙を設定保持するもので、この間隙は作業者等の手指の挿入等に十分な大きさのものとしてある。すなわちストッパー１０自体は、ベース体１との枢支部１３位置から係止縁部１１の下縁に至る高さが、係止段部Ｓ上方に十分な間隙高さ位置を設定保持するに十分なものとしてある。更に当接係止状態では、外部からの衝撃、振動等でも当接係止状態は解除されず、その仮止め状態を維持できるように配慮してある。
【００２１】
突出縁部１２は、係止段部Ｓに対する係止縁部１１の並行維持姿勢状態において、共同溝の外側への上向き傾斜状にした矩形突片状にして、係止縁部１１からの窪み部を介在させて連続形成してある。この突出縁部１２は、係止縁部１１が係止段部Ｓ上に当接係止しているとき、開口部上に位置していて例えば外方から視認することで蓋部材Ｃが仮止め係止状態であることを確認できるようにしている。
【００２２】
枢支部１３は、ストッパー１０自体の上部位置でストッパー１０自体をベース体１に対して揺動自在な状態で吊り下げ状に支持させるもので、図示にあってはベース体１における支持側板５に例えばボルト、ナット、ワッシャ等によるネジ止め構成による軸部構造のものとしてある。尚、枢支部１３は左右で対状となるとき、連結バー１５と同様に相互間で横架されるようシャフト・バー構造のものとすることも可能である。
【００２３】
操作部１４は、ストッパー１０自体を蓋部材Ｃの外側すなわち蓋部材Ｃの上方から操作するもので、係止縁部１１が係止段部Ｓに当接係止状態では蓋部材Ｃ上方に突出し（図２参照）、係止縁部１１が係止段部Ｓから解除された揺動時ではベース体１内に没入されるようにしてある（図５参照）。すなわち、この操作部１４自体は図示のように、共同溝の外側に向けられた上向き傾斜状の突片状に形成されることで、係止縁部１１の係止段部Ｓからの解除を操作部１４の倒伏揺動操作で容易に行えるように配慮してあり、またベース体１内への倒伏没入後ではベース体１の上板３上から外部には突出しないように、後縁が傾斜状に形成されている。
【００２４】
更にストッパー１０の後縁下部には、ベース体１の周囲枠材２における後縁側に当接する当接支持縁部１６を形成してある。この当接支持縁部１６は、ストッパー１０自体を後方に牽引するように傾斜させたときにベース体１に当接することで、蓋部材Ｃ自体を持ち上げ支持できるようにしてある。すなわち、これによって、例えば蓋部材Ｃ自体を共同溝の内部から閉塞作業を行うとき、作業者がストッパー１０を前記連結バー１５を利用して牽引し傾斜揺動させたとき、ベース体１に当接するストッパー１０を介して蓋部材Ｃ自体を直接的に支持できるようになる。
【００２５】
また、蓋部材Ｃ自体を開閉させるために、蓋部材Ｃに対して出没自在にした取っ手Ｈが設けられている。この取っ手Ｈは蓋部材Ｃにおける開閉部分の縁部に位置させて、例えば縁部の中央位置に配したストッパー１０を中心とした左右に対状にして配置されており、正面から見て門字状を呈し、脚部端に係止部を備えることで蓋部材Ｃの上下方向に沿ってスライド自在にして蓋部材Ｃに貫挿することで設けてある。
【００２６】
図７においては別の実施の形態が示されている。すなわち、この実施の形態においては先の実施の形態における操作部１４の上端部分を折曲形成することによって摘み部１５を形成したもので、この摘み部１５によってストッパー１０自体の揺動操作を容易に行えるようにしてある。また取っ手Ｈは、先の実施の形態におけるものとは異なり、ベース体１に蓋部材Ｃの上下方向に沿ってスライド自在に設けられている。これによって、蓋部材Ｃの開閉作業を行うときの各部材をベース体１部分に集約させることができ、作業の迅速性、円滑性等を一層向上できるようにしてある。
【００２７】
次にこれの使用の一例を説明するに、共同溝の出入口における開口部を開閉する蓋部材Ｃの開閉縁部位置に、開口部の係止段部Ｓ位置に対応してベース体１を介して蓋部材Ｃの内側に吊り下げ状となるようにストッパー１０を揺動自在に配装しておく。例えば図６に示すように蓋部材Ｃが主体部分とこの主体部分に対して一部が蝶番部材等によって開閉自在に構成されている起伏部分とから成るとき、その起伏部分の開閉縁部に配装される。そして、共同溝内への出入り、諸部材の搬出入に際し蓋部材Ｃを閉塞するとき、作業者が直接に開閉部分の縁部を持ってそのまま倒伏させると（図６（Ａ）参照）、ストッパー１０の下縁に位置する係止縁部１１が開口部の係止段部Ｓに当接係止し、蓋部材Ｃの開閉縁部と開口部縁との間に所定の間隙を設定保持する（図６（Ｂ）参照）。この間隙は、作業者等の手指が入り込むに十分な大きさにしてあるため、手指等が挟まれることがない。次いで、取っ手Ｈを握持して蓋部材Ｃ自体を持ち上げるように支持しながら（図６（Ｃ）参照）、ストッパー１０を操作部１４にて揺動操作して蓋部材Ｃの下方に押し込み、係止段部Ｓから係止縁部１１の当接係止を解除させる。解除後では蓋部材Ｃをゆっくりと下ろし、開口部を完全に閉塞する（図６（Ｄ）参照）。
【００２８】
一方、共同溝の内部から最終的に開口部を閉塞する場合には、例えば連結バー１５を握持してストッパー１０を揺動操作し、係止段部Ｓとの係止当接を解除すると同時に、ベース体１の周囲枠材２の後縁側に当接支持縁部１６を当接させることで蓋部材Ｃを直接的に支持した状態とする（図６（Ｅ）参照）。そこで蓋部材Ｃをゆっくり下降させることで開口部を閉塞する。
【図面の簡単な説明】
【００２９】
【図１】本発明を実施するための最良の形態を示す要部斜視図である。
【図２】同じく施蓋作業時における仮止め状態の要部側面図である。
【図３】同じく一部切欠正面図である。
【図４】同じく一部切欠平面図である。
【図５】同じく閉鎖時における退避状態の要部側面図である。
【図６】同じく施蓋作業時の手順を示す側面図で、その（Ａ）は作業開始時、（Ｂ）は仮止め時、（Ｃ）は外部から閉塞操作する場合、（Ｄ）は閉塞時、（Ｅ）は内部から閉塞操作する場合である。
【図７】同じく他の実施の形態における要部斜視図である。
【符号の説明】
【００３０】
Ｃ…蓋板材                              Ｈ…取っ手
Ｓ…係止段部
１…ベース体                            ２…周囲枠材
３…上板                                ４…中央側板
５…支持側板                            ６…補強側板
１０…ストッパー                        １１…係止縁部
１２…突出縁部                          １３…枢支部
１４…操作部                            １５…連結バー
１６…当接支持縁部